【事件の表示】
　特願２０１５−５４９９７号「遊技機」拒絶査定不服審判事件〔平成２８年１０月６日出願公開、特開２０１６−１７４６２６号〕について、次のとおり審決する。
【結　論】
　本件審判の請求は、成り立たない。
【理　由】
１　手続の経緯
　本願は、平成２７年３月１８日の出願であって、平成２８年２月１９日付けで拒絶の理由が通知され、同年４月２０日に意見書および手続補正書が提出され、同年１０月７日付けで拒絶の理由が通知され、同年１２月９日に意見書および手続補正書が提出され、平成２９年３月３１日付けで最後の拒絶の理由が通知され、同年５月３０日に意見書および手続補正書が提出されたところ、同年９月８日付けで拒絶査定がなされ、それに対して、同年１１月２１日に拒絶査定不服審判の請求がなされると同時に手続補正がなされたものである。
　一方、当審において、平成３０年８月３１日付けで拒絶の理由が通知され、同年１０月３０日に意見書および手続補正書が提出されたところである。
２　本願発明
　本願の請求項１に係る発明（以下「本願発明」という。）は、平成３０年１０月３０日付けの手続補正書により補正された、特許請求の範囲の請求項１に記載されたとおりのものである（当審においてＡ〜Ｇに分説した。）。
「【請求項１】
Ａ　駆動源の動力により第一位置と第二位置との間を移動可能である可動部材と、
Ｂ　前記可動部材に対して変位自在に支持されて当該可動部材とともに組体を構成する部材であって、反射材料で形成された反射部を表面の少なくとも一部に有する反射部材と、
Ｃ　発光部材と、
　　を備え、
Ｄ　前記駆動源の動力の一部が前記可動部材に伝達されることで前記可動部材および前記反射部材の組体が移動することに伴い、当該駆動源の動力の他の一部が前記可動部材には伝達されずに前記反射部材に伝達されることで前記可動部材に対して前記反射部材が変位し、当該可動部材と前記反射部材の相対位置が変化するように構成されており、
Ｅ　前記可動部材が前記第一位置に位置する箇所まで前記可動部材および前記反射部材の組体が移動したときよりも、前記可動部材が前記第二位置に位置する箇所まで前記可動部材および前記反射部材の組体が移動したときの方が、前記可動部材に覆われずに露出する前記反射部の領域が大きくなるものであり、
Ｆ　前記可動部材が前記第二位置に位置するとき、前記可動部材に覆われずに露出する前記反射部に隣接する位置に前記発光部材を位置させた上で、当該発光部材を発光させる演出が実行可能であることを特徴とする
Ｇ　遊技機。」
３　当審の平成３０年８月３１日付け拒絶の理由の概要
　本願の請求項１に係る発明は、その出願前に日本国内又は外国において頒布された特開２０１２−３４７４６号公報（以下「引用例１」という。）に記載された発明および特開２０１５−３３５６０号公報、特開２０１３−２３６７０９号公報等に示される周知技術に基づいて、その出願前にその発明の属する技術の分野における通常の知識を有する者が容易に発明をすることができたものであるから、特許法第２９条第２項の規定により特許を受けることができない、というものである。
４　引用例
（１）引用例１
ア　引用例１の記載事項
　当審の拒絶の理由に引用文献１として引用された引用例１には、図面とともに以下の（１−１）〜（１−４）の事項が記載されている。
（１−１）「【００１８】
　
本発明は、パチンコ遊技機のセンタ役物に装備された可動役物装置に適用されている。
（１−２）「【００４３】
　可動役物装置１７は、
第１可動役物４１をベース部材４０に第１退避位置と第１作動位置とに亙って直線的に移動自在にガイド支持する
（１−３）「【００４７】
　第２可動役物４２は、第１可動役物４１よりも一回り小さいサイズで細長く形成され、先の尖った短剣を模して、ベース部材４０の前側に且つ第１可動役物４１の後側に配置されている。
第２可動役物４２は、その基端部が前後方向の軸部材４８を介して第１可動役物４１の中央部よりも多少下側部分に回動自在に支持されている。
【００４８】
　
第２可動役物４２は、第１可動役物４１に対して、その全部が第１可動役物４１に重なって第１可動役物４１の後側に隠れる第２退避位置（図７、図８、図１３参照）と、この第２退避動位置から反時計回り方向に回動してその大部分が第１可動役物４１からはみ出して現れる第２作動位置（図５、図６、図１１、図１２参照）とに亙って可動に配設されている。
・・・
【００５０】
　
第２可動役物４２は、合成樹脂製の第２役物ベース４２ａと、その前側を覆う合成樹脂製の第２役物装飾カバー４２ｂとを有する。第２役物ベース４２ａの前面部には基板（図示略）が取付けられ、その基板の前面に複数のＬＥＤ（図示略）が実装されている。第２役物装飾カバー４２ｂは、多数の凹凸が有る透明なレンズを有し、このレンズとレンズを通過する前記複数のＬＥＤからの光によって、第２可動役物４２が電飾される。
【００５１】
　
第１役物駆動機構４３は、第１可動役物４１を第１退避位置と第１作動位置とに亙ってこれら両位置の間の第１途中位置（図１３参照）を経由させて駆動し
第２役物駆動機構４４は、第１可動役物４１を第１退避位置と第１途中位置との間で駆動する際には、第２可動役物４２を第１可動役物４１と一体的に駆動し、第１可動役物４１を第１途中位置と第１作動位置との間で駆動する際には、第２可動役物４２を第１可動役物４１の駆動方向と同方向へ駆動しながら第２退避位置と第２作動位置とに亙って駆動する。
【００５２】
　
第１役物駆動機構４３は、ベース部材４０に取付けられた電動モータ６０（ステッピングモータ６０）と、この電動モータ６０により複数のギヤ６１ａを介して回動される駆動ギヤ６１（ピニオン６１）と、第１可動役物４１に設けられて駆動ギヤ６１が噛合するラック６２とを有する。
・・・
【００５４】
　第２役物駆動機構４４は、前記のように、第１可動役物４１を第１退避位置と第１途中位置との間で駆動する際には、第２可動役物４２を第１可動役物４１と一体的に駆動するが、第１可動役物４１を第１途中位置と第１作動位置との間で駆動する際には、第２可動役物４２を第１可動役物４１の駆動方向と同方向へ駆動しながら第２退避位置と第２作動位置とに亙って駆動し、そのために、
第２役物駆動機構４４は、軸部材４８を含み、この軸部材４８を介して第１役物駆動機構４３の駆動力を第１可動役物４１から第２可動役物４２に伝達するとともに、第１可動役物４１の第１途中位置と第１作動位置との間における往復移動に連動して第２可動役物４２を往復回動させる役物連動機構４５を有する。
（１−４）「【００７４】
　以上説明した可動役物装置１７は次のように動作する。
　通常、
第１可動役物４１は第１退避位置にあり、その大部分がセンタ役物本体１５ａの後側に隠れ、第２可動役物４２は第２退避位置にあり、その全部が第１可動役物４１の後側に隠れた状態になっている
【００７５】
　第１の特別演出では、第１役物駆動機構４３により、第１可動役物４１が第１退避位置から第１途中位置へ向かって移動開始され、第１退避位置と第１途中位置との間で移動領域Ａ１を往復移動される。その際、第２役物駆動機構４４によって、ガイド部材７０がストレートガイド溝７３に係合して、第２可動役物４２は回動しないように保持され、第１可動役物４１と一体的に移動開始されて往復移動される。
【００７６】
　その後、
第１可動役物４１が第１途中位置を通過して、第１途中位置から第１作動位置へ移動領域Ａ２を移動される。その際、第２役物駆動機構４４（役物連動機構４５）によって、ガイド部材７０が円弧状ガイド溝７２に係合して、第２可動役物４２は第１可動役物４１と共に移動されながら第２退避位置から第２作動位置へ回動される。最終的にガイド部材７０がストレート短溝７４に係合して、第１可動役物４１が第１作動位置へ移動停止され、第２可動役物４２が第２退避作動位置へ移動停止される。
・・・
【００７８】
　その後、前記と逆の動作により、第１可動役物４１が第１作動位置から第１退避位置へ移動停止され、第２可動役物４２が第２作動位置から第２退避位置へ移動停止される。クッション部材９０により第１可動役物４１が第１退避位置側へ移動停止する衝撃が吸収され、クッション部材９２により第２可動役物４２が第２退避位置へ移動停止する衝撃が吸収される。
この第１，第２可動役物４１，４２の動作と共に、画像表示器１６の画面に第１の特別演出画像が表示され、スピーカ３４から第１の特別演出効果音が鳴らされて、全体的にインパクトのある演出が実現される。
イ　認定事項
　上記「ア」から、次の（１−ａ）〜（１−ｆ）の事項が認定できる。
（１−ａ）
　段落【００４３】には、「
第１可動役物４１を
第１退避位置と第１作動位置とに亙って
移動
する
第１役物駆動機構４３は、第１可動役物４１を第１退避位置と第１作動位置とに亙って
駆動し
第１役物駆動機構４３は、
電動モータ６０
を有する
（１−ｂ）
　段落【００４７】には、「
第２可動役物４２は
第１可動役物４１
に回動自在に支持されて
第２役物駆動機構４４は、
第２可動役物４２を第１可動役物４１と一体的に駆動し、
（１−ｃ）
　段落【００５０】には、「
第２可動役物４２は
第２役物ベース４２ａ
を有する
第２役物ベース４２ａ
には
ＬＥＤ
が実装されている
ＬＥＤからの光によって、第２可動役物４２が電飾される。」
（１−ｄ）
　段落【００５４】には、「第２役物駆動機構４４は、軸部材４８を含み、この軸部材４８を介して
第１役物駆動機構４３の駆動力を第１可動役物４１から第２可動役物４２に伝達する
第１可動役物４１の
移動に連動して第２可動役物４２を往復回動させる
第２可動役物４２は、第１可動役物４１に対して、その全部が第１可動役物４１に重なって第１可動役物４１の後側に隠れる第２退避位置
と、
その大部分が第１可動役物４１からはみ出して現れる第２作動位置
とに亙って可動
（１−ｅ）段落【００７４】には、「
第１可動役物４１は第１退避位置にあり
第２可動役物４２は第２退避位置にあり、その全部が第１可動役物４１の後側に隠れ
ている
第１可動役物４１が
第１作動位置
第２可動役物４２は
第２作動位置
第２可動役物４２は
その大部分が第１可動役物４１からはみ出して現れる第２作動位置
（１−ｆ）段落【００５０】には、「第２役物装飾カバー４２ｂは、多数の凹凸が有る透明なレンズを有し、このレンズとレンズを通過する前記複数の
ＬＥＤからの光によって、第２可動役物４２が電飾される。」
第２可動役物
４２の動作
インパクトのある演出が実現される。
ウ　引用例１に記載された発明
　上記（１−１）〜（１−４）の記載事項および（１−ａ）〜（１−ｆ）の認定事項を総合すると、引用例１には、次の発明が記載されていると認められる（以下「引用発明」という。）。
「ａ　電動モータ６０を有する第１役物駆動機構４３の駆動により第１退避位置と第１作動位置とに亙って移動する第１可動役物４１と（認定事項１−ａ）、
ｂ　第１可動役物４１に回動自在に支持されて第１可動役物４１と一体的に駆動される第２可動役物４２であって（認定事項１−ｂ）、
ｃ　ＬＥＤが実装された第２役物ベース４２ａを有し、ＬＥＤからの光によって電飾される第２可動役物４２を備え（認定事項１−ｃ）、
ｄ　第１役物駆動機構４３の駆動力を第１可動役物４１から第２可動役物４２に伝達して、第１可動役物４１の移動に連動して第２可動役物４２を第１可動役物４１に対して、その全部が第１可動役物４１に重なって第１可動役物４１の後側に隠れる第２退避位置と、その大部分が第１可動役物４１からはみ出して現れる第２作動位置とに亙って往復回動させ（認定事項１−ｄ）、
ｅ　第１可動役物４１が第１退避位置にあるとき第２可動役物４２は第２退避位置にあり、その全部が第１可動役物４１の後側に隠れており、第１可動役物４１が第１作動位置にあるとき第２可動役物４２は第２作動位置にあり、その大部分が第１可動役物４１からはみ出して現れ（認定事項１−ｅ）、
ｆ　ＬＥＤからの光によって電飾される第２可動役物４２が動作してインパクトのある演出が実現される（認定事項１−ｆ）、
ｇ　パチンコ遊技機（記載事項１−１）。」
５　対比
　本願発明と引用発明とを対比する（下記の（ａ）〜（ｇ）は、引用発明の構成に対応している。）。
（ａ）引用発明の「電動モータ６０を有する第１役物駆動機構４３」、「第１退避位置」および「第１作動位置」は、それぞれ、本願発明の「駆動源」、「第一位置」および「第二位置」に相当する。
　そして、引用発明の「第１可動役物４１」は、「電動モータ６０を有する第１役物駆動機構４３の駆動により第１退避位置と第１作動位置とに亙って移動」していることから、引用発明の「第１可動役物４１」は、本願発明の「可動部材」に相当する。
　よって、引用発明の「電動モータ６０を有する第１役物駆動機構４３の駆動により第１退避位置と第１作動位置とに亙って移動する第１可動役物４１」は、本願発明の「駆動源の動力により第一位置と第二位置との間を移動可能である可動部材」に相当する。
（ｂ）引用発明の第２可動役物４２は、第１可動役物４１に回動自在に支持されるとともに一体的に駆動されるものであるから、第１可動役物４１と第２可動役物４２とは組になって動作しており、第２可動役物４２は第１可動役物４１とともに組体を構成する部材であるといえる。
　したがって、引用発明の「第１可動役物４１に回動自在に支持されて第１可動役物４１と一体的に駆動される第２可動役物４２」と、本願発明の「前記可動部材に対して変位自在に支持されて当該可動部材とともに組体を構成する部材であって、反射材料で形成された反射部を表面の少なくとも一部に有する反射部材」とは、「可動部材に対して変位自在に支持されて当該可動部材とともに組体を構成する部材」である点で共通する。
（ｃ）引用発明の第２可動役物４２の第２役物ベース４２ａには光による電飾を行う「ＬＥＤ」が実装されており、引用発明の「ＬＥＤ」は、本願発明の「発光部材」に相当する。
（ｄ）引用発明における構成ｄのうち、「第１役物駆動機構４３の駆動力」が「第１可動役物４１」に伝達されて、「第１可動役物４１」が「移動」することに「連動して」、「第１役物駆動機構４３の駆動力」が「第２可動役物４２」にも「伝達」されて「第２可動役物４２」を「往復回動させ」ることは、「第１役物駆動機構４３の駆動力」はその一部が第１可動役物４１に伝達されて第１可動役物４１を移動させ、第１可動役物４１が移動することに伴って、「第１役物駆動機構４３の駆動力」の残りが第２可動役物４２に伝達されて第２可動役物４２が往復回動しているといえる。
　そして、（ａ）より、引用発明の「第１役物駆動機構４３」および「第１可動役物４１」は、本願発明の「駆動源」および「可動部材」に相当し、（ｂ）より、引用発明の「第２可動役物４２」と、本願発明の「反射部材」とは、「可動部材とともに組体を構成する部材」である点で共通する。
　したがって、引用発明の構成ｄのうち「第１役物駆動機構４３の駆動力」が「第１可動役物４１」に伝達されて、「第１可動役物４１」が「移動」することに「連動して」、「第１役物駆動機構４３の駆動力」が「第２可動役物４２」にも「伝達」されて「第２可動役物４２」が「往復回動させ」ることと、本願発明の構成Ｄのうち「前記駆動源の動力の一部が前記可動部材に伝達されることで前記可動部材および前記反射部材の組体が移動することに伴い、当該駆動源の動力の他の一部が前記可動部材には伝達されずに前記反射部材に伝達されること」とは、「駆動源の動力の一部が可動部材に伝達されることで可動部材および可動部材とともに組体を構成する部材が移動することに伴い、駆動源の動力の他の一部が可動部材には伝達されずに可動部材とともに組体を構成する部材に伝達されることで可動部材とともに組体を構成する部材が駆動されていること」で共通するといえる。
　また、引用発明における構成ｄのうち、「第２可動役物４２」が「その全部が第１可動役物４１に重なって第１可動役物４１の後側に隠れる第２退避位置と、その大部分が第１可動役物４１からはみ出して現れる第２作動位置とに亙って往復回動」していることは、「第２可動役物４２」が「往復回動」することによって、「第１可動役物４１」に対して「第２可動役物４２」が移動し、「第１可動役物４１」と「第２可動役物４２」との相対的な位置が変化しているといえる。
　したがって、引用発明の構成ｄのうち「第２可動役物４２」が、「その全部が第１可動役物４１に重なって第１可動役物４１の後側に隠れる第２退避位置と、その大部分が第１可動役物４１からはみ出して現れる第２作動位置とに亙って往復回動」していることと、本願発明の構成Ｄのうち「前記可動部材に対して前記反射部材が変位し、当該可動部材と前記反射部材の相対位置が変化するように構成されて」いることとは、「可動部材に対して可動部材とともに組体を構成する部材が変位し、可動部材と可動部材とともに組体を構成する部材の相対位置が変化するように構成され」ていることで共通するといえる。
　よって、引用発明の構成ｄと、本願発明の構成Ｄとは、「駆動源の動力の一部が可動部材に伝達されることで可動部材および可動部材とともに組体を構成する部材が移動することに伴い、当該駆動源の動力の他の一部が可動部材には伝達されずに可動部材とともに組体を構成する部材に伝達されることで可動部材に対して可動部材とともに組体を構成する部材が変位し、当該可動部材と可動部材とともに組体を構成する部材の相対位置が変化するように構成され」ていることで共通する。
（ｅ）引用発明における構成ｅのうち、「第１可動役物４１が第１退避位置にあるとき」とは、「第１可動役物４１」は「第１退避位置」と「第１作動位置」とに亙って移動するものであり（構成ａ）、また、「第２可動役物４２」は「第１可動役物４１」とともに一体的に駆動するものであるから（構成ｂ）、「第１可動役物４１」が「第１退避位置」に位置する場所まで「第１可動役物４１」および「第２可動役物４２」が移動したときであるといえる。
　そして、（ａ）より、引用発明の「第１可動役物４１」および「第１退避位置」は、それぞれ、本願発明の「可動部材」および「第一位置」に相当し、（ｂ）より、引用発明の「第２可動役物４２」と本願発明の「反射部材」とは、「可動部材とともに組体を構成する部材」である点で共通する。
　したがって、引用発明の構成ｅのうち「第１可動役物４１が第１退避位置にあるとき」と、本願発明の構成Ｅのうち「前記可動部材が前記第一位置に位置する箇所まで前記可動部材および前記反射部材の組体が移動したとき」とは、「可動部材が第一位置に位置する箇所まで可動部材および可動部材とともに組体を構成する部材が移動したとき」で共通するといえる。
　同様に、引用発明における構成ｅのうち、「第１可動役物４１が第１作動位置にあるとき」とは、「第１可動役物４１」は「第１退避位置」と「第１作動位置」とに亙って移動するものであり（構成ａ）、また、「第２可動役物４２」は「第１可動役物４１」とともに一体的に駆動するものであるから（構成ｂ）、「第１可動役物４１」が「第１作動位置」に位置する場所まで「第１可動役物４１」および「第２可動役物４２」が移動したときであるといえる。
　そして、（ａ）より、引用発明の「第１可動役物４１」および「第１作動位置」は、それぞれ、本願発明の「可動部材」および「第二位置」に相当し、（ｂ）より、引用発明の「第２可動役物４２」と本願発明の「反射部材」とは、「可動部材とともに組体を構成する部材」である点で共通する。
　したがって、引用発明の構成ｅのうち「第１可動役物４１が第１作動位置にあるとき」と、本願発明の構成Ｅのうち「前記可動部材が前記第二位置に位置する箇所まで前記可動部材および前記反射部材の組体が移動したとき」とは、「可動部材が第二位置に位置する箇所まで可動部材および可動部材とともに組体を構成する部材が移動したとき」で共通するといえる。
　また、引用発明における構成ｅのうち、「第１可動役物４１」が「第１退避位置にあるとき第２可動役物４２は」「その全部が第１可動役物４１の後側に隠れており」、「第１可動役物４１」が「第１作動位置にあるとき第２可動役物４２は」「その大部分が第１可動役物４１からはみ出して現れ」ることは、「第１可動役物４１」が「第１退避位置」に位置するときよりも「第１作動位置」に位置するときの方が、「第１可動役物４１」に隠れずにはみ出す「第２可動役物４２」の表面の領域が大きくなるものであるといえる。
　したがって、引用発明の構成ｅのうち「第１可動役物４１」が「第１退避位置にあるとき第２可動役物４２は」「その全部が第１可動役物４１の後側に隠れており」、「第１可動役物４１」が「第１作動位置にあるとき第２可動役物４２は」「その大部分が第１可動役物４１からはみ出して現れ」ることと、本願発明の構成Ｅのうち「前記可動部材が前記第一位置に位置する」「ときよりも、前記可動部材が前記第二位置に位置する」「ときの方が、前記可動部材に覆われずに露出する前記反射部の領域が大きくなるものであ」ることとは、「可動部材が第一位置に位置するときよりも可動部材が第二位置に位置するときの方が、可動部材に覆われずに露出する可動部材とともに組体を構成する部材の表面の領域が大きくなるものである」ことで共通するといえる。
　よって、引用発明の構成ｅと、本願発明の構成Ｅとは、「可動部材が第一位置に位置する箇所まで可動部材および可動部材とともに組体を構成する部材が移動したときよりも、可動部材が第二位置に位置する箇所まで可動部材および可動部材とともに組体を構成する部材が移動したときの方が、可動部材に覆われずに露出する可動部材とともに組体を構成する部材の表面の領域が大きくなるものである」ことで共通する。
（ｆ）引用発明においては、ＬＥＤからの光によって電飾される第２可動役物４２を動作させて演出を行っており、発光部材を発光させる演出を行っているといえる。
　したがって、引用発明の「ＬＥＤからの光によって電飾される第２可動役物４２が動作してインパクトのある演出が実現される」ことと、本願発明の「前記可動部材が前記第二位置に位置するとき、前記可動部材に覆われずに露出する前記反射部に隣接する位置に前記発光部材を位置させた上で、当該発光部材を発光させる演出が実行可能であること」とは、「発光部材を発光させる演出が実行可能であること」で共通する。
（ｇ）引用発明の「パチンコ遊技機」は、本願発明の「遊技機」に相当する。
　したがって、本願発明と引用発明とは、
「Ａ　駆動源の動力により第一位置と第二位置との間を移動可能である可動部材と、
Ｂ’前記可動部材に対して変位自在に支持されて当該可動部材とともに組体を構成する部材と、
Ｃ　発光部材と、
　　を備え、
Ｄ’前記駆動源の動力の一部が前記可動部材に伝達されることで前記可動部材および前記可動部材とともに組体を構成する部材が移動することに伴い、当該駆動源の動力の他の一部が前記可動部材には伝達されずに前記可動部材とともに組体を構成する部材に伝達されることで前記可動部材に対して前記可動部材とともに組体を構成する部材が変位し、当該可動部材と前記可動部材とともに組体を構成する部材の相対位置が変化するように構成されており、
Ｅ’前記可動部材が前記第一位置に位置する箇所まで前記可動部材および前記可動部材とともに組体を構成する部材が移動したときよりも、前記可動部材が前記第二位置に位置する箇所まで前記可動部材および前記可動部材とともに組体を構成する部材が移動したときの方が、前記可動部材に覆われずに露出する前記可動部材とともに組体を構成する部材の表面の領域が大きくなるものであり、
Ｆ’発光部材を発光させる演出が実行可能である、
Ｇ　遊技機。」
である点で一致し、以下の相違点１から相違点４の点で相違する。
［相違点１］
　可動部材とともに組体を構成する部材が、本願発明は「反射材料で形成された反射部を表面の少なくとも一部に有する反射部材」であるのに対して、引用発明の第２可動役物４２は、そのような構成を有するか明らかでない点。（構成Ｂ）
［相違点２］
　可動部材とともに組体を構成する部材が、本願発明は「反射部材」であるのに対して、引用発明は「可動部材とともに組体を構成する部材」である点。（構成Ｄ）
［相違点３］
　可動部材に覆われずに露出して大きくなる領域が、本願発明は「反射部」であるのに対して、引用発明は「可動部材とともに組体を構成する部材の表面」である点。（構成Ｅ）
［相違点４］
　発光部材を発光させる演出に関して、本願発明は「前記可動部材が前記第二位置に位置するとき、前記可動部材に覆われずに露出する前記反射部に隣接する位置に前記発光部材を位置させた上で、当該発光部材を発光させる」のに対して、引用発明は、そのような構成を有するか明らかでない点。（構成Ｆ）
６　判断
（１）相違点についての検討
　上記相違点１から相違点４は、いずれも反射部を有する反射部材および発光部材を用いた演出に関するものなので、まとめて検討する。
　パチンコ遊技機において、光を用いた演出効果を高めることを目的として、演出に用いる可動体に光を反射する材料で形成された反射部を設けるとともに、可動体が所定位置に位置するとき、反射部を有する可動体に隣接する位置に発光部材を位置させた上で、発光部材を発光させる演出を行うことは周知技術である（当審の平成３０年８月３１日付け拒絶の理由において周知例として引用した特開２０１５−３３５６０号公報の段落【００１５】、【００４３】、【００５３】〜【００５７】、図６、図１０〜１１、図１３には、可動体４１にクロムメッキ等の鏡面処理が施された反射面を設けるとともに、可動体４１を移動させて回転灯ユニット３９に近接させた上で、回転灯ユニット３９を点灯させて光を反射させる演出を行うことにより、インパクトの高い光演出を実現することが記載されている。また、他にも特開２０１２−３４７５６号公報の段落【０００５】、【０００７】、【００３９】〜【００４０】、【０８６８】〜【０８７０】、【０８８５】、【０８９６】〜【０８９９】、図１６２、図１６７、図１６８には、可動体である裏上中可動装飾体３３３０に表面が銀色の金属光沢を有する枠部材３３３２を設けるとともに、裏上中可動装飾体３３３０を出現位置に移動させて裏上サイド可動装飾体３４１０を裏上中可動装飾体３３３０に近付いた位置に位置させ、裏上サイド可動装飾体３４１０における裏上サイド装飾基板３４１４のＬＥＤを発光させて裏上中可動装飾体３３３０の金属光沢を有する枠部材３３３２で反射させてキラキラと輝かせることにより、発光装飾による装飾効果を高めることが記載されている。さらに、特開２０１０−６８８５１号公報の段落【０００５】、【００２４】〜【００２５】、【０１０２】、図５、図２２には、日本刀を模した形状の可動演出体２５に金属メッキ等の反射面４９を設けるとともに、可動演出体２５が退避位置Ｘから演出位置Ｘに移動して外部発光手段２６に近付いた位置において、外部発光手段２６から可動演出体２５に光を照射して反射させることにより視覚的演出の演出効果を向上させることが記載されている。）。
　そして、引用発明は演出効果を高めることを目的とするものであり（段落【００１０】）、上記周知技術は光を用いた演出効果を高めることを目的とするものであるから、引用発明と上記周知技術とは演出効果を高めるという共通の目的を有するものである。
　また、引用発明は可動部材とともに組体を構成する部材であり往復回動を行う可動体である「第２可動役物４２」をＬＥＤからの光によって電飾して演出を行うものであり（構成ｃ、ｆ）、上記周知技術は可動体に設けた反射部に光を反射させて演出を行うものであるから、引用発明と上記周知技術とは、可動体の光を用いて演出を行う点で共通するものである。
　したがって、引用発明の「第２可動役物４２」に光を用いた演出効果を高めるための上記周知技術を適用し、可動部材とともに組体を構成する部材であり可動体である「第２可動役物４２」の表面に光を反射する材料で形成された反射部を設けるとともに、「第２可動役物４２」が所定位置に位置するとき、「第２可動役物４２」に設けた反射部に隣接する位置に発光部材を位置させた上で、発光部材を発光させる演出を行うように構成すること、さらには、発光部材が反射部に隣接する際の可動部材（第１可動役物４１）の位置が、「第２可動役物４２」の表面に設けた反射部が可動部材（第１可動役物４１）に覆われずに露出して発光部材の光を反射部で反射させることが可能となる第二位置となるように構成し、上記相違点１〜４に係る本願発明の構成とすることは、当業者が容易になし得たことである。
（２）本願発明が奏する効果について
　上記相違点によって本願発明が奏する効果は、当業者が引用発明および周知技術から予測し得る程度のものであって、格別のものではない。
（３）請求人の主張について
　請求人は、意見書において、「３−１）本願発明は、可動部材を第二位置に位置させ、露出する反射部の領域を大きくした上で、当該反射部に隣接する位置に発光部材を位置させ、当該発光部材を発光させる演出が実行可能であることを特定する。
　つまり、反射部の露出する領域を大きくした上で、当該反射部に発光部材から出射された光が反射されるようにすることで、発光部材による演出効果を高めたものである（本願明細書段落００４８等参照）。
３−２）今般の拒絶理由通知においてなされた本願発明と引用発明の対応関係を是認するとしても、引用文献１に、今般の補正により追加した発明特定事項（上記（Ｃ）および（Ｆ）の発明特定事項）が開示されていないことは明らかである。
　引用文献２、３にも当該発明特定事項は開示されていない。」と主張している（平成３０年１０月３０日付け意見書の「３．拒絶理由に対する反論」参照。）。
　しかしながら、上記（１）〜（２）で検討したように、光を用いた演出の演出効果を高めるために、光を反射する材料で形成された反射部を有する可動体を所定の位置に位置させ、可動体に隣接する位置に発光部材を位置させた上で発光部材を発光させる演出を行うことは周知技術であり、当該周知技術を引用発明に適用することは、当業者が容易になし得たことである。
　また、本願発明が奏する効果は、当業者が引用発明および周知技術から予測し得る程度のものであって、格別のものではない。
　よって、請求人の上記主張は採用できない。
７　まとめ
　以上のとおり、本願発明は、引用発明および周知技術に基づいて当業者が容易に発明をすることができたものであるから、特許法第２９条第２項の規定により特許を受けることができない。
　したがって、本願は、拒絶されるべきものである。
　よって、結論のとおり審決する。